(57)【要約】【課題】  棚板（載置棚）の組立作業を煩雑にすることなく、棚板の上面（載置面）の摩擦抵抗を減らすことができ、かつ、どのようなサイズの商品にも対応でき、しかも最前列の商品をとったときでも後続の商品が商品落下防止具に勢いよく当接することのない商品陳列棚を提供すること。【解決手段】  前方に向かって下方に傾斜した棚板２の上面２ｄにシート材１０を配設し、該シート材１０上であって傾斜面２ｄに沿って陳列した複数の商品Ｗの最前列の商品Ｗをとる毎に、その後方の商品Ｗが前方に移動するようにした商品陳列棚１において、前記棚板２は後端部２ｂから前方に広がる後方高滑り領域αと前端部２ａから後方高滑り領域αまでの前方低滑り領域βとの２領域に区画され、少なくとも前記高滑り領域αには高滑り性能を有するシート材１０が棚板２に配設されている。【選択図】  図２
2006239134.tif 000002
【特許請求の範囲】
【請求項１】
前方に向かって下方に傾斜した棚板の上面にシート材を配設し、該シート材上であって傾斜面に沿って陳列した複数の商品の最前列の商品をとる毎に、その後方の商品が前方に移動するようにした商品陳列棚において、前記棚板は後端部から前方に広がる後方高滑り領域と前端部から後方高滑り領域までの前方低滑り領域との２領域に区画され、少なくとも前記高滑り領域には高滑り性能を有するシート材が棚板に配設されていることを特徴とする商品陳列棚。
【請求項２】
前記高滑り性能のシート材の前記棚板に対する前方への移動を落下拘束手段によって停止させて棚板上の後方高滑り領域のみに高滑り性能のシート材を配設した請求項１に記載の商品陳列棚。
【請求項３】
前記シート材の棚板に対する左右方向への移動を左右動拘束手段によって停止させた請求項２に記載の商品陳列棚。
【請求項４】
前記落下拘束手段は棚板上に設けた上方に突出した突片に前記シート材の前端部を当接させたものである請求項２または３に記載の商品陳列棚。
【請求項５】
前記落下拘束手段は前記シート材の後方部を下方に屈曲させた屈曲部を前記棚板の後端部に当接させたものである請求項２または３に記載の商品陳列棚。
【請求項６】
前記左右動拘束手段は前記棚板の左右側部から上方を向けて突設した上方当接片に前記シート材の左右側端部をそれぞれ当接したものである請求項３ないし５のいずれかに記載の商品陳列棚。
【請求項７】
前記左右動拘束手段は前記シート材の左右方向の幅を、前記棚板の左右方向の幅よりも若干大きくし、前記棚板から突設した左右端部を下方に屈曲させた屈曲部を、前記棚板の側面に被嵌させたものである請求項３ないし５に記載の商品陳列棚。
【請求項８】
前記左右動拘束手段は前記シート材の左右方向の幅を、前記棚板の左右方向の幅よりも若干大きくし、前記棚板から突設した左右端部を下方に屈曲させた屈曲部を、前記棚板の側面に被嵌させたものであり、前記落下拘束手段は前記棚板側面から左右方向に突出した突片に前記シート材の左右の屈曲部前端部を当接させたものである請求項３に記載の商品陳列棚。
【請求項９】
前記高滑り性能のシート材を棚板上の後方高滑り領域のみに貼着した請求項１に記載の商品陳列棚。
【請求項１０】
前記シート材は後方の高性能滑り領域と前方の低性能滑り領域とを有する１枚のシートで構成され、前方の低性能滑り領域の前端部を棚板前端部に設けた落下防止具に当接させた請求項１に記載の商品陳列棚。
【請求項１１】
前方に向かって下方に傾斜した棚板の上面にシート材を配設し、該シート材上であって傾斜面に沿って陳列した複数の商品の最前列の商品をとる毎に、その後方の商品が前方に移動するようにした商品陳列棚において、前記シート材は高滑り性能を有し、棚板上の前記シート材の専有面積は、棚板の後端部から前端部にかけて次第に減少するように配設されていることを特徴とする商品陳列棚。
【発明の詳細な説明】
【技術分野】
【０００１】
本発明は、前方側が下がるように傾斜された棚板に載置される商品が、自重により棚板の前方側へと移動する商品陳列棚に関する。
【背景技術】
【０００２】
従来、スーパーやコンビニエンス・ストアー等の商品売り場に設置される商品陳列棚において、前方側が下がるように傾斜された物品載置棚の載置面と、この載置面上に陳列される商品との間の摩擦抵抗と減らして商品を摺動し易くするために、ポリスチレン樹脂等により成形された摩擦抵抗の低い棒状部材を載置面に配設し、この棒状部材上に陳列される複数の商品の内、前方側に位置する商品が客によって取り出されると、その後方側に位置する複数の商品が自重によって棒状部材上を滑りながら前方側に移動され、客が商品を常に商品陳列棚の前方側から取り出せるようにしたものがある（例えば、特許文献１参照）。
【０００３】
【特許文献１】特開平８−１０１０８号公報（第４頁、第６図）
【発明の開示】
【発明が解決しようとする課題】
【０００４】
しかしながら、特許文献１にあっては、ポリスチレン樹脂等で成形された棒状部材を載置面上に配設するために、棒状部材を載置棚に固定するためのリテーナ等の固定手段が必要となっており、このリテーナは、断面が円形状や矩形状を成す棒状部材に嵌合させるために、複雑な形状に成形する必要があるとともに、複数のリテーナを載置面上に互いに平行になるように固着させなければならず、載置棚の組立作業が煩雑になる。また、棒状部材の配置間隔が商品サイズに対応して設定されているため、商品の陳列替えをしようとしたときに、他の商品を既設棒状部材に配置できない不具合が生じることもあった。しかも載置棚の後端部から前端部にかけてすべてが摺動し易い状態であると、最前列の商品をとったとき後続の商品が載置棚の前端部に設けられている商品落下防止具に勢いよく当接する恐れもあった。
【０００５】
本発明は、このような問題点に着目してなされたもので、棚板（載置棚）の組立作業を煩雑にすることなく、棚板の上面（載置面）の摩擦抵抗を減らすことができ、かつ、どのようなサイズの商品にも対応でき、しかも最前列の商品をとったときでも後続の商品が商品落下防止具に勢いよく当接することのない商品陳列棚を提供することを目的とする。
【課題を解決するための手段】
【０００６】
前記課題を解決するために、本発明の請求項１に記載の商品陳列棚は、
前方に向かって下方に傾斜した棚板の上面にシート材を配設し、該シート材上であって傾斜面に沿って陳列した複数の商品の最前列の商品をとる毎に、その後方の商品が前方に移動するようにした商品陳列棚において、前記棚板は後端部から前方に広がる後方高滑り領域と前端部から後方高滑り領域までの前方低滑り領域との２領域に区画され、少なくとも前記高滑り領域には高滑り性能を有するシート材が棚板に配設されていることを特徴としている。
この特徴によれば、棚板の上面にシート材を配設したので各種商品サイズに対応できるとともに、棚板と、高滑り性能のシート材とが別構成の部品であるので、従来の棚板、あるいはある程度滑り性のある棚板に容易に付加して用いることができ、たとえ滑りにくい紙製の容器であっても前方への移動がスムーズであり、加えて棚板の前端部から後方にかけて前方低滑り領域が構成されているので、最前列の商品をとったときに、後続の商品が棚板前端部に設けられている商品落下防止具等に勢いよく当接することが避けられる。
【０００７】
本発明の請求項２に記載の商品陳列棚は、請求項１に記載の商品陳列棚であって、
前記高滑り性能のシート材の前記棚板に対する前方への移動を落下拘束手段によって停止させて棚板上の後方高滑り領域のみに高滑り性能のシート材を配設したことを特徴としている。
この特徴によれば、シート材を棚板上の後方高滑り領域のみに配設することにより、容易に滑り領域を区画できる。
【０００８】
本発明の請求項３に記載の商品陳列棚は、請求項２に記載の商品陳列棚であって、
前記シート材の棚板に対する左右方向への移動を左右動拘束手段によって停止させたことを特徴としている。
この特徴によれば、左右動拘束手段によってシート材の左右方向への移動が拘束されかつ回転振れも防止できるので、シート材を安定した状態で棚板上に配設できる。
【０００９】
本発明の請求項４に記載の商品陳列棚は、請求項２または３に記載の商品陳列棚であって、
前記落下拘束手段は棚板上に設けた上方に突出した突片に前記シート材の前端部を当接させたものであることを特徴としている。
この特徴によれば、棚板上に設けた突片にシート材の前端部を当接させるだけでシート材の前方への移動が拘束できる。また、シート材は棚板から容易に分離できるので、棚板やシート材の清掃、あるいはシート材の交換を手軽に行うことができる。なお、突片の形成の仕方としては、棚板にきり込みを入れ裏面側から押し上げて形成しても良いし、突片を棚板に固着しても良い。
【００１０】
本発明の請求項５に記載の商品陳列棚は、請求項２または３に記載の商品陳列棚であって、
前記落下拘束手段は前記シート材の後方部を下方に屈曲させた屈曲部を前記棚板の後端部に当接させたものであることを特徴としている。
この特徴によれば、シート材の後方部を下方に屈曲させて棚板の後端部に当接させるだけで、シート材の前方への移動を容易に停止させることができる。
【００１１】
本発明の請求項６に記載の商品陳列棚は、請求項３ないし５のいずれかに記載の商品陳列棚であって、
前記左右動拘束手段は前記棚板の左右側部から上方を向けて突設した上方当接片に前記シート材の左右側端部をそれぞれ当接したものであることを特徴としている。
この特徴によれば、棚板の左右側部から上方を向けて突設した上方当接片にシート材の左右側端部をそれぞれ当接するだけで、シート材の左右方向への移動を容易に拘束できる。
【００１２】
本発明の請求項７に記載の商品陳列棚は、請求項３ないし５のいずれかに記載の商品陳列棚であって、
前記左右動拘束手段は前記シート材の左右方向の幅を、前記棚板の左右方向の幅よりも若干大きくし、前記棚板から突設した左右端部を下方に屈曲させた屈曲部を、前記棚板の側面に被嵌させたものであることを特徴としている。
この特徴によれば、シート材の左右端部を下方に屈曲させるだけでシート材の左右方向への移動を容易に拘束できる。
【００１３】
本発明の請求項８に記載の商品陳列棚は、請求項３に記載の商品陳列棚であって、
前記左右動拘束手段は前記シート材の左右方向の幅を、前記棚板の左右方向の幅よりも若干大きくし、前記棚板から突設した左右端部を下方に屈曲させた屈曲部を、前記棚板の側面に被嵌させたものであり、前記落下拘束手段は前記棚板側面から左右方向に突出した突片に前記シート材の左右の屈曲部前端部を当接させたものであることを特徴としている。
この特徴によれば、シート材の左右端部を下方に屈曲させるだけでシート材の左右方向への移動を容易に拘束できると共に、棚板側面から左右方向に突出した突片にシート材の左右の屈曲部前端部を当接することで、シート材の前方への移動を容易に停止させることができる。
【００１４】
本発明の請求項９に記載の商品陳列棚は、請求項１に記載の商品陳列棚であって、
前記高滑り性能のシート材を棚板上の後方高滑り領域のみに貼着したことを特徴としている。
この特徴によれば、前記高滑り性能のシート材を貼着するだけで棚板上に移動不能に固定されるので、特段のシート材の移動を拘束する固定具を設ける必要がない。
【００１５】
本発明の請求項１０に記載の商品陳列棚は、請求項１に記載の商品陳列棚であって、
前記シート材は後方の高性能滑り領域と前方の低性能滑り領域とを有する１枚のシートで構成され、前方の低性能滑り領域の前端部を棚板前端部に設けた落下防止具に当接させたことを特徴としている。
この特徴によれば、１枚のシートを落下防止具に当接させて棚板に載置するだけでよいのでシート材の取付け取り外しに手間が掛からず、商品の配置換えにも即座に対応できる。
【００１６】
本発明の請求項１１に記載の商品陳列棚は、
前方に向かって下方に傾斜した棚板の上面にシート材を配設し、該シート材上であって傾斜面に沿って陳列した複数の商品の最前列の商品をとる毎に、その後方の商品が前方に移動するようにした商品陳列棚において、前記シート材は高滑り性能を有し、棚板上の前記シート材の専有面積は、棚板の後端部から前端部にかけて次第に減少するように配設されていることを特徴としている。
この特徴によれば、棚板と、高滑り性能のシート材とが別構成の部品であるので、従来の棚板、あるいはある程度滑り性のある棚板に容易に付加して用いることができ、たとえ滑りにくい紙製の容器であっても前方への移動がスムーズであり、加えてシート材の専有面積を変えて滑り抵抗を前方に向かって漸次増加させることができるので、商品のよりスムーズな移動が達成できる。
【発明を実施するための最良の形態】
【００１７】
本発明の実施例を以下に説明する。
【実施例１】
【００１８】
本発明の実施例を図面に基づいて説明すると、先ず図１は、実施例１における商品陳列棚の全体像を示す斜視図であり、図２（ａ）は、棚板を示す分解斜視図であり、図２（ｂ）は、棚板を示す斜視図であり、図３（ａ）は、シート板の表面を示す拡大平面図であり、図３（ｂ）は、シート板のＡ−Ａ断面図であり、図４（ａ）は、商品を取り出した状態の棚板の側面図であり、図４（ｂ）は、商品の移動状態を示す側面図である。以下、図１および図２の左下側を商品陳列棚の前方側（正面側）とし、図４の左側を商品陳列棚の前方側（正面側）として説明する。
【００１９】
図１の符号１は、スーパーやコンビニエンス・ストアー等の商品売り場に設置される商品陳列棚であり、この商品陳列棚１には、複数段の棚板２が設けられており、これらの棚板２には、紙製の容器を用いた複数の商品Ｗが前後方向に並べて陳列されている。棚板２には、陳列される最前列の商品Ｗの落下を防ぐためにアクリル板などで構成された商品落下防止用の落下防止具４が取り付けられるとともに、この棚板２の傾斜面２ｄには、本実施例におけるシート材としての薄板状のシート板１０が設けられている。
【００２０】
図２（ａ）に示すように、棚板２は前方側が下がるように傾斜されて傾斜面２ｄが形成されており、この棚板２の傾斜面２ｄに載置される矩形状のシート板１０は、棚板２の左右方向の幅全体を覆うことができる。このシート板１０には、後方部を下方に屈曲させた本実施例における落下拘束手段である後端屈曲部１０ｂが形成されている。シート板１０を棚板２の傾斜面２ｄに取り付ける際には、シート板１０を棚板２に載置して、シート板１０の後端屈曲部１０ｂを棚板２の後端部２ｂに当接させる。このようにシート板１０の後端屈曲部１０ｂを、棚板２の後端部２ｂに当接させることで、シート板１０の前方への移動を容易に停止できる。また、落下防止具４は、棚板２の前端部２ａ近傍の傾斜面２ｄ上に配置されており、この落下防止具４とシート板１０の前端部は、所定距離離間されて配置されている。
【００２１】
図２（ｂ）に示すように、シート板１０の前後方向の幅は、棚板２の前後方向の幅よりも短くなるように形成されているとともに、シート板１０の上面は摩擦抵抗が低く、高滑り性能を有している。棚板２の傾斜面２ｄにシート板１０が載置されると、棚板２は、棚板２の後端部２ｂから前方に広がるシート板１０が設けられた後方高滑り領域αと、棚板２の前端部２ａからシート板１０までの前方低滑り領域βとの２領域に区画されるようになっている。
【００２２】
次にシート板１０について詳述すると、図３（ａ）及び図３（ｂ）に示されるように、シート板１０は、プラスチック等の材質で形成された基材１１と、表面にエンボス加工が施されたエンボスシート１２と、エンボスシート１２の表面に塗布された塗膜１３との３層で構成されている。エンボスシートの表面には複数の微小な突起１４が形成されるとともに、このエンボスシート１２の表面にケイ素樹脂が５〜１０％の割合で含有されたポリエチレン樹脂が塗布されることで塗膜１３が形成されている。エンボスシート１２は、接着剤等を用いて基材１１の上面に貼り付けられている。尚、本実施例では、塗膜１３にケイ素樹脂が含有されていたが、ケイ素樹脂に限らず、フッ素樹脂またはモリブデンが塗膜１３に含有されていてもよい。
【００２３】
図３（ａ）に示すように、エンボスシート１２はエンボス加工が施し易いように、厚みが０．２〜０．５ｍｍに成るように形成されている。更にこのエンボスシート１２の表面に形成された複数の突起１４は、同一直径（本実施例では０．２〜１．０ｍｍ）、及び同一高さ（本実施例では０．１〜０．４ｍｍ）になるように形成されており、それぞれの突起同士の間隔が０．５〜１．５ｍｍになるように配置されている。尚、本実施例では突起１４の面積に対する占有率は５〜６０％の範囲内となっている。この複数の突起１４によってシート板１０の上面の商品Ｗとの接触面積がより制限され摩擦抵抗を低く抑えている。
【００２４】
このようにして、シート板１０を構成する基材１１の表面にエンボスシート１２が貼り付けられ、かつエンボスシート１２の表面に塗膜１３が塗布されていることで、シート板１０の上面は非常に摩擦抵抗が低くなり、滑り性能が高められ、シート板１０の上面に載置された商品Ｗが摺動し易い構成となっている。尚、このように形成されたシート板１０が本実施例における高滑り性能のシート材および高滑り領域αを構成している。また、本実施例における後方高滑り領域αは、少なくとも棚板２の上面の摩擦抵抗よりも低ければよい。
【００２５】
図４（ａ）に示すように、棚板２における後方高滑り領域αと前方低滑り領域βの両区画上に、複数の商品Ｗが前後方向に並べて載置され、最前列の商品Ｗは落下防止具４に当接されることによって落下しないようになっている。このとき最前列の商品Ｗは低滑り領域βに載置され、後続の複数の商品Ｗは高滑り領域αに載置されている。客によって最前列の商品Ｗが抜き取られると、シート板１０上に配置された複数の商品Ｗが自重によって棚板２の傾斜面２ｄ上を前方にスライド移動するようになっている。尚、後方高滑り領域αにおいては、滑りにくい紙製の容器を用いた商品Ｗであってもスムーズにスライド移動される。
【００２６】
図４（ｂ）に示すように、最前列の商品Ｗをとったときに、シート板１０上の後続の商品Ｗが前方へ移動され、前方低滑り領域β上に載置されるようになる。前方低滑り領域β上では商品Ｗの底面に加わる摩擦抵抗が増えるようになり、商品Ｗが減速されるため、商品Ｗが棚板２の前端部２ａ近傍に設けられている落下防止具４等に勢いよく当接することが避けられる。そして落下防止具４が長年の使用により繰り返し商品Ｗに衝突されることで生じる破損が防止され、かつ重量のある商品Ｗであってもスムーズに棚板２上を前方にスライド移動させることができる。尚、商品Ｗの前方移動による摺動によって、シート板１０に前方へ向けて摩擦が加えられても、後端屈曲部１０ｂが棚板２の後端部２ｂに係合されているので、シート板１０が前方に滑り落ちる恐れも回避される。
【００２７】
本発明の商品陳列棚１では、後方高滑り領域αが、棚板２と別構成の部品であるシート板１０によって構成されていることで、商品陳列棚１の組立作業を煩雑にすることなく製造することができ、かつ従来から用いられている商品陳列棚１の棚板２、あるいはある程度滑り性のある棚板２に容易に付加して用いることもできる。また、シート板１０を棚板２から容易に分離できるので、棚板２やシート板１０の清掃、あるいはシート板１０の交換も容易に行えるようになっている。更に、シート板１０が棚板２の左右方向の幅全体を覆うことができるので、どのようなサイズの商品にも対応できるようになっている。
【実施例２】
【００２８】
次に、実施例２に係る商品陳列棚につき、図５を参照して説明する。尚、前記実施例に示される構成部分と同一構成部分に付いては重複する説明を省略する。図５は、実施例２における棚板を示す斜視図である。
【００２９】
図５に示すように、棚板１５の傾斜面１５ｄには、本実施例における落下拘束手段としての突片１６が２つ形成されており、この２つの突片１６は落下防止具１７よりも若干後方の位置に左右に離間されて配置されている。この突片１６は、図５中の要部拡大断面図に示すように、棚板１５の傾斜面１５ｄの一部に切り込みを入れ、棚板１５の裏面側から上方に押し上げて突出させて形成される。矩形状をなす本実施例におけるシート材としてのシート板１８は実施例１と同様に、基材に貼り付けられたエンボスシートの表面に塗膜が塗布されて滑り性能が高められている。
【００３０】
シート板１８を棚板１５の傾斜面１５ｄに載置させると、シート板１８の前端部が突片１６に当接され、シート板１８の前方への移動が拘束できる。そのため商品Ｗの自重等による影響でシート板１８の前方向に力が加えられた場合であっても、シート板１８の前方への滑りが規制されるようになっている。尚、本実施例では、突片１６を棚板１５に切り込みを入れて裏面側から押し上げて形成していたが、突片１６を棚板１５と別体の部品として構成して棚板１５の傾斜面１５ｄに固着させても良い。
【００３１】
そして、図５に示すように、シート板１８の前後方向の幅は、棚板１５の前後方向の幅よりも短くなるように形成されているので、棚板１５は、棚板１５の後端部１５ｄから前方に広がるシート板１８が設けられた後方高滑り領域αと、棚板１５の前端部１５ａからシート板１８までの前方低滑り領域βとの２領域に区画されるようになっている。
【実施例３】
【００３２】
次に、実施例３に係る商品陳列棚につき、図６を参照して説明する。尚、前記実施例に示される構成部分と同一構成部分に付いては重複する説明を省略する。図６（ａ）は、実施例３における棚板を示す分解斜視図であり、図６（ｂ）は、棚板を示す斜視図である。
【００３３】
図６（ａ）に示すように、棚板１９の左右側部１９ｃには、本実施例における落下拘束手段としての突片２１が形成されており、この左右側部１９ｃに配置される２つの突片２１は落下防止具２２よりも若干後方の位置に配置されている。この突片２１は実施例２と同様に、棚板１９の左右側部１９ｃの一部に切り込みを入れ、棚板１９の裏面側から上方に押し上げて突出させて形成される。
【００３４】
更に図６（ａ）に示すように、矩形状をなす本実施例におけるシート材としてのシート板２３は、棚板１９の左右方向の幅よりも若干大きく形成され、シート板２３の左右の側端部を下方に屈曲させることで、本実施例における左右動拘束手段としての側端屈曲部２３ｃが形成されている。また、シート板２３は実施例１と同様に、基材１１に貼り付けられたエンボスシート１２の表面に塗膜１３が塗布されて滑り性能が高められている。
【００３５】
図６（ｂ）に示すように、シート板２３を棚板１９の傾斜面１９ｄに載置させると、棚板１９の左右側部１９ｃがシート板２３の側端屈曲部２３ｃによって被嵌されるようになる。この側端屈曲部２３ｃにより、シート板２３全体の左右方向への移動を容易に拘束でき、かつシート板２３の回転振れも防止できるので、シート板２３を安定した状態で棚板１９上に配設できる。
【００３６】
側端屈曲部２３ｃの前端部を突片２１に当接させることで、シート板２３の前方への移動が拘束されるようになり、商品Ｗの自重等による影響でシート板２３の前方向に力が加えられた場合であっても、シート板２３の前方への滑りが規制されるようになっている。尚、本実施例では突片２１が棚板１９の左右側部１９ｃに形成されていたが、これに限ることなく、棚板１９の左右側部１９ｃに設けずに、実施例２と同様に棚板１９の傾斜面１９ｄに突片２１を設け、シート板２３の前方への移動を拘束してもよい。また、棚板１９に突片２１を一切設けずに、実施例１における落下拘束手段である後端屈曲部１０ｂを、実施例３のシート板２３に形成し、シート板２３の前方への移動を拘束してもよい。
【００３７】
図６（ｂ）に示すように、シート板２３の前後方向の幅は、棚板１９の前後方向の幅よりも短くなるように形成されているので、棚板１９は、棚板１９の後端部１９ｂから前方に広がるシート板２３が設けられた後方高滑り領域αと、棚板１９の前端部１９ａからシート板２３までの前方低滑り領域βとの２領域に区画されるようになっている。
【実施例４】
【００３８】
次に、実施例４に係る商品陳列棚につき、図７を参照して説明する。尚、前記実施例に示される構成部分と同一構成部分に付いては重複する説明を省略する。図７（ａ）は、実施例４における棚板を示す分解斜視図であり、図７（ｂ）は、棚板を示す斜視図である。
【００３９】
図７（ａ）に示すように、棚板２４の傾斜面２４ｄには、本実施例における落下拘束手段としての突片２５が２つ形成されており、この２つの突片２５は落下防止具２６よりも若干後方の位置に左右に離間されて配置されている。この突片２５は実施例２と同様に、棚板２４の傾斜面２４ｄの一部に切り込みを入れ、棚板２４の裏面側から上方に押し上げて突出させて形成される。
【００４０】
また図７（ａ）に示すように、棚板２４の左右側部２４ｃには、棚板２４の傾斜面２４ｄよりも上方に突設された本実施例における左右動拘束手段としての上方当接片２７がネジ等で螺着されている。上方当接片２７は片方の側部２４ｃに２つづつ前後方向に所定間隔離間されて配置されている。また、矩形状をなす本実施例におけるシート材としてのシート板２８は実施例１と同様に、基材１１に貼り付けられたエンボスシート１２の表面に塗膜１３が塗布されて滑り性能が高められている。
【００４１】
図７（ｂ）に示すように、シート板２８を棚板２４の傾斜面２４ｄに載置させると、棚板２４の左右側部２４ｃの上方当接片にシート板２８の左右の側端部をそれぞれ当接するだけで、シート板２８の左右方向への移動を容易に拘束できる。そして、シート板２８の前端部を突片２５に当接させることで、シート板２８の前方への移動が拘束されており、商品Ｗの自重等による影響でシート板２８の前方向に力が加えられた場合であっても、シート板２８の前方への滑りが規制されるようになっている。
【００４２】
図７（ｂ）に示すように、シート板２８の前後方向の幅は、棚板２４の前後方向の幅よりも短くなるように形成されているので、棚板２４は、棚板２４の後端部２４ｂから前方に広がるシート板２８が設けられた後方高滑り領域αと、棚板２４の前端部２４ａからシート板２８までの前方低滑り領域βとの２領域に区画されるようになっている。
【実施例５】
【００４３】
次に、実施例５に係る商品陳列棚につき、図８を参照して説明する。尚、前記実施例に示される構成部分と同一構成部分に付いては重複する説明を省略する。図８（ａ）は、実施例５における棚板を示す分解斜視図であり、図８（ｂ）は、棚板を示す斜視図である。
【００４４】
図８（ａ）に示すように、矩形状をなす本実施例におけるシート材（シート）としてのシート板２９は、棚板３０の傾斜面３０ｄとほぼ同じ大きさに形成されている。このシート板２９は実施例１と同様に、基材３１に貼り付けられたエンボスシート３２の表面に塗膜が塗布されて滑り性能が高められる構成となっているが、実施例５のシート板２９は、エンボスシート３２がシート板２９の後方の領域にのみ貼り付けられ、シート板２９の前方の領域は、基材３１が露出されている。このシート板２９１枚で後方の高性能滑り領域αと前方の低性能滑り領域βとが構成されている。
【００４５】
図８（ｂ）に示すように、シート板２９を棚板３０の傾斜面３０ｄに載置し、シート板２９の前端部（前方の低性能滑り領域βの前端部）を棚板３０の前端部３０ａの近傍に設けた本実施例における落下拘束手段としての落下防止具３３に当接させることで、シート板２９の前方への移動が拘束できる。そのため１枚のシート板２９を棚板３０に載置させて落下防止具３３に当接するだけでよいのでシート板２９の取付け取り外しに手間が掛からず、商品Ｗの配置換えにも即座に対応できる。
【実施例６】
【００４６】
次に、実施例６に係る商品陳列棚につき、図９を参照して説明する。尚、前記実施例に示される構成部分と同一構成部分に付いては重複する説明を省略する。図９は、実施例６における棚板を示す斜視図である。
【００４７】
図９に示すように、棚板３４の傾斜面３４ｄには、矩形状をなす本実施例におけるシート材としてエンボスシート３５が接着剤を用いて貼り付けられている。このエンボスシート３５の表面には塗膜が塗布されて滑り性能が高められる構成となっている。エンボスシート３５の前後方向の幅は、棚板３４の前後方向の幅よりも短くなるように形成されており、エンボスシート３５の前端部と、落下防止具３６は、所定距離離間されて配置されている。
【００４８】
棚板３４の傾斜面３４ｄにエンボスシート３５が載置されると、棚板３４は、棚板３４の後端部３４ｂから前方に広がるエンボスシート３５が設けられた後方高滑り領域αと、棚板３４の前端部３４ａからエンボスシート３５までの前方低滑り領域βとの２領域に区画されるようになっている。高滑り性能のエンボスシート３５を貼着するだけで、棚板３４の傾斜面３４ｄ上に移動不能に固定されるので、特段のエンボスシート３５の移動を拘束する固定具を設ける必要がなく、既存の棚板３４に容易に後方高滑り領域αと、前方低滑り領域βとを形成できる。
【実施例７】
【００４９】
次に、実施例７に係る商品陳列棚につき、図１０を参照して説明する。尚、前記実施例に示される構成部分と同一構成部分に付いては重複する説明を省略する。図１０は、実施例７における棚板を示す斜視図である。
【００５０】
図１０に示すように、棚板３７の傾斜面３７ｄには、略扇形状をなす本実施例におけるシート材として２枚のエンボスシート３８が接着剤を用いて貼り付けられている。このエンボスシート３８の表面には塗膜が塗布されて滑り性能が高められる構成となっている。このエンボスシート３８は、棚板３７の左右後端から広がるように貼り付けられており、棚板３７の傾斜面３７ｄ上の２枚のエンボスシート３８の専有面積は、棚板３７の後端部３７ｂから前端部３７ａにかけて次第に減少するように配設されている。
【００５１】
棚板３７と、高滑り性能のエンボスシート３８とが別構成の部品であるので、従来の棚板３７、あるいはある程度滑り性のある棚板３７に容易に付加して用いることができ、たとえ滑りにくい紙製の容器を用いた商品Ｗであっても前方への移動がスムーズであり、加えてエンボスシート３８の専有面積を変えて滑り抵抗を前方に向かって漸次増加させることができるので、商品Ｗを前方へのよりスムーズなスライド移動が達成でき、落下防止具３９に勢いよく当接することが避けられる。
【００５２】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００５３】
【図１】実施例１における商品陳列棚の全体像を示す斜視図である。
【図２】（ａ）は、棚板を示す分解斜視図であり、（ｂ）は、棚板を示す斜視図である。
【図３】（ａ）は、シート板の表面を示す拡大平面図であり、（ｂ）は、シート板のＡ−Ａ断面図である。
【図４】（ａ）は、商品を取り出した状態の棚板の側面図であり、（ｂ）は、商品の移動状態を示す側面図である。
【図５】実施例２における棚板を示す斜視図である。
【図６】（ａ）は、実施例３における棚板を示す分解斜視図であり、（ｂ）は、棚板を示す斜視図である。
【図７】（ａ）は、実施例４における棚板を示す分解斜視図であり、（ｂ）は、棚板を示す斜視図である。
【図８】（ａ）は、実施例５における棚板を示す分解斜視図であり、（ｂ）は、棚板を示す斜視図である。
【図９】実施例６における棚板を示す斜視図である。
【図１０】実施例７における棚板を示す斜視図である。
【符号の説明】
【００５４】
１                商品陳列棚
２                棚板
２ａ              前端部
２ｂ              後端部
２ｄ              傾斜面
４                落下防止具
１０              シート板（シート材）
１０ｂ            後端屈曲部（落下拘束手段）
１５              棚板
１５ａ            前端部
１５ｂ            後端部
１５ｄ            傾斜面
１６              突片（落下拘束手段）
１７              落下防止具
１８              シート板（シート材）
１９              棚板
１９ａ            前端部
１９ｂ            後端部
１９ｃ            側部
１９ｄ            傾斜面
２１              突片（落下拘束手段）
２２              落下防止具
２３              シート板（シート材）
２３ｃ            側端屈曲部（左右動拘束手段）
２４              棚板
２４ａ            前端部
２４ｂ            後端部
２４ｃ            側部
２４ｄ            傾斜面
２５              突片（落下拘束手段）
２６              落下防止具
２７              当接片（左右動拘束手段）
２８              シート板（シート材）
２９              シート板（シート材）
３０              棚板
３０ａ            前端部
３０ｄ            傾斜面
３１              基材
３２              エンボスシート
３３              落下防止具（落下拘束手段）
３４              棚板
３４ａ            前端部
３４ｂ            後端部
３４ｄ            傾斜面
３５              エンボスシート（シート材）
３６              落下防止具
３７              棚板
３７ａ            前端部
３７ｂ            後端部
３７ｄ            傾斜面
３８              エンボスシート（シート材）
３９              落下防止具
Ｗ                商品
【図１】
2006239134.tif 000003
【図２】
2006239134.tif 000004
【図３】
2006239134.tif 000005
【図４】
2006239134.tif 000006
【図５】
2006239134.tif 000007
【図６】
2006239134.tif 000008
【図７】
2006239134.tif 000009
【図８】
2006239134.tif 000010
【図９】
2006239134.tif 000011
【図１０】
2006239134.tif 000012